(57)【要約】      （修正有）【課題】体型変化が衣類に及ぼす影響を緩和することのできる構造が簡単で耐久性があり意匠的にも優れた調整部を有するウエストサイズの調整具を提供する。【解決手段】 衣類のウエスト部分を切り込んで重なり部分２，３を形成する。一方の重なり部分３の片面内側にレール６を配置する。他方の重なり部分２の先端には、前記レール６上をスライド可能であるとともに、特定の位置で係止可能なバックル１１を設ける。前記レール６は軟質合成樹脂からなり、衣類生地による裏当てが行われていない。レール６面には複数の突起８を設けてこの突起にバックルの爪が係合可能とする。【選択図】図３
0003108043.tif 000002
【実用新案登録請求の範囲】
【請求項１】
衣類（１）のウエスト部分を切り込んで形成した重なり部分（２，３）と、
一方の重なり部分（３）の片面内側に配置したレール（６）と、
他方の重なり部分（２）の先端に設けた、前記レール（６）上をスライド可能であるとともに、特定の位置で係止可能なバックル（１１）と
からなるウエストサイズの調整具（５）において、
前記レール（６）が軟質合成樹脂からなり、衣類生地による裏当てが行われていないことを特徴とするウエストサイズの調整具。
【請求項２】
レール（６）面に複数の突起（８）を設けてこの突起にバックルの爪（１６）が係合可能とした請求項１記載の調整具。
【請求項３】
レール（６）に文字や図形を記入した請求項１記載の調整具。
【考案の詳細な説明】
【技術分野】
【０００１】
本考案は、体型変化がズボンやスカート等の衣類に及ぼす影響を緩和するウエストサイズの調整具に関する。
【背景技術】
【０００２】
長期間にわたる体型変化は、胴回りの締まり過ぎまたは弛み過ぎとして現れ、着用者に不快感を与える。これを避けるため、ズボンやスカートでは、腰回りに弾力性を付与する目的で、ゴム等の弾性体を組み込んだり、スプリングを内蔵して伸縮させ、調整機能を付与した鉤ホックを使用することがある。
【０００３】
スプリングを内蔵した鉤ホックの先行技術として、例えば下記特許文献１，２がある。両先願に示されるは鉤ホックは、構成材の鉤ホック主体と鉤ホック基体とが圧縮スプリングを介して接続され、鉤ホック主体が鉤ホック基体上を圧縮スプリングの力でスライドするため、微調整が可能である。
【０００４】
別の従来技術として、例えば下記特許文献３，４がある。これらによると、衣服のポケットを上端まで切開して、重複する外側腰回り部と内側腰回り部を形成し、外側腰回り部の外面に突条を有するレールと、このレールが挿通され突条と係止するように外側腰回り部に付設されたスライダーとを設けている。
【特許文献１】特開２０００−５０９１３号
【特許文献２】特開２００１−８７０１０号
【特許文献３】実公平６−１３２１１号
【特許文献４】特開２００４−９７６２１
【考案の開示】
【考案が解決しようとする課題】
【０００５】
特開２００１−８７０１０号（特許文献１）と特開２００１−８７０１０号（特許文献２）では、鉤ホックは通常衣類の開閉部分１箇所のみに装着するため、どうしてもウエストサイズの調整範囲が小さくなりがちである。
【０００６】
実公平６−１３２１１号（特許文献３）及び特開２００４−９７６２１（特許文献４）では、左右２箇所のポケット部に調整部を設けることができるため、前者に比べて調整範囲を広くとることができ、長期間にわたる体型変化に十分対応できる。しかし、調整部にレールを設け、それを生地で隠そうとしているため、コストが増大している。
【０００７】
また、従来のレールは堅い素材からなるので、バックルとの度重なる接触や洗濯により傷が付いたり破壊したりしていた。
【０００８】
本考案は、特許文献３，４の技術の改良であって、構造が簡単で、耐久性があり、意匠的にも優れた調整部を有するウエストサイズの調整具を提供することを目的とする。
【課題を解決するための手段】
【０００９】
本考案は、衣類のウエスト部分を切り込んで形成した重なり部分と、一方の重なり部分の片面内側に配置したレールと、他方の重なり部分の先端に設けた、前記レール上をスライド可能であるとともに、特定の位置で係止可能なバックルとからなるウエストサイズの調整具において、レールが軟質合成樹脂からなり、生地による裏当てが行われていないことを特徴とするウエストサイズの調整具である。
【考案の効果】
【００１０】
本考案のウエストサイズの調整具から得られる効果をまとめると次のようである。
(1)この調整具を腰回りに二個使用したズボンやズボンは、一サイズがカバーする範囲が著しく拡大する。
(2) レールが軟質合成樹脂製であり、生地による裏当てが行われていないので、安価に製造できる。
(3) レールが軟質合成樹脂製であり、生地による裏当てが行われていないので、それ自身がある程度、伸び縮みする。その結果、食事直後や屈伸運動中などの一時的なウエストサイズの増減に対して微調整の役割を果たす。
(4)  レールは生地による裏当てが行われていないので、衣類の重なり部分から部分的に露出する。この部分は合成樹脂製であって、生地とは感触も外観も異なる異質部分であるが、それが逆に軽快で若々しく強烈な印象を残しやすい。この部分を利用して文字や図形を組み込み、宣伝広告に利用することもできる。
【考案を実施するための最良の形態】
【００１１】
本考案は、ズボンやズボン等に使用するウエストサイズの調整具であって、開閉部とは別に一部を切り込み形成した重なり部分に装着する。重なり部分は通常、左右両側部に設けるとバランスがよく、調整範囲を拡げるが、一方でも効果がある。
【００１２】
バックルをレール上の特定の位置で係止するためには、レールに複数の突起を設けておき、この突起とバックルの爪を係合させるのが好ましい。突起は棒状が好ましい。ベルト長さと突起数はサイズにより、１０±５ｃｍと１０〜３０個の各範囲から選択して組合せることができる。
【００１３】
レールを構成する軟質合成樹脂としては、ゴム（天然ゴム、イソプレンゴム、ブタジエンゴム、ニトリルゴム、アクリルゴム、シリコーンゴム、等）や熱可塑性エラストマー（スチレン系、オレフィン系、ポリエステル系、ウレタン系、ＰＶＣ系、フッ素系、等）などが使用可能である。
【００１４】
レールを構成する合成樹脂は、透明でもよいが、長期間のうちには黄ばみを起こしやすいので、着色剤を混入させることにより、さまざまに発色させるのが好ましい。この部分に文字や図形を組み込み、宣伝広告に利用することもできる。文字や図形が消えないように、その上からコーティング加工又はサンドイッチ加工することが好ましい。
【実施例１】
【００１５】
以下、添付の図面に基づき、本考案の実施例を説明する。
【００１６】
図１は腰回りの一部を切り込んで重なり部分を形成したズボンの側面図である。図２は、図１のズボンの重なり部分を引き離して、第三者側から見たウエストサイズの調整具の斜視図である。図３は、同様にして、着用者側から見たウエストサイズの調整具の斜視図である。
【００１７】
図１のように、ズボン１の重なり部分２と３の対向する面に、ウエストサイズの調整具５を取付ける。調整具５はレール６の一部が外側から見え、一部は重なり部分２に隠れる。図２では、図１の重なり部分２と３の間を意図的に拡げて、調整具の構成材の状態を示している。
【００１８】
ズボン１の腰回りに作られた重なり部分３の対向面側に、レール６を渡し両端１０をズボン上端に糸で縫いつけて固定する。レール６は内面に棒状の突起８を多数形成してなる。レール６の固定に先立ちバックル１１をレール６に通し、前記バックルに設けた押さえ部材１４の爪１６をレール面の突起８に当接させて位置決めする。押さえ部材１４はピンを中心として回動自在である。図３に示すように、レール６は、突起８を内方に向けた状態でバックル本体１１の中を貫通している。
【００１９】
長さ調整をするときには、図４（ｂ）に示すように、押さえ部材１４を回動させ、その爪１６で突起間を押さえて、レール６に位置決めする。これによりウエストサイズの調整が可能となる。図４（ａ）は調整前、（ｂ）は調整中、（ｃ）は調整後を示す。
【００２０】
この調整は手で操作するので、調整の容易さを失わない範囲で、突起数を増やしたり、間隔を狭くしたりして細かい調整ができる。
【００２１】
レール６は、軟質合成樹脂により成形する。軟質樹脂としては例えばゴム（天然ゴム、イソプレンゴム、ブタジエンゴム、ニトリルゴム、アクリルゴム、シリコーンゴム、等）や熱可塑性エラストマー（スチレン系、オレフィン系、ポリエステル系、ウレタン系、ＰＶＣ系、フッ素系、等）などが使用可能である。この合成樹脂には、着色剤を混入させることにより、様々に発色させることができる。
【００２２】
レール６は、前記特許文献４と異なり、ズボン生地と同じ生地により裏当てされていない。そのため、図１−３に示すように、第三者側から見て一部が露出している。前記したように、合成樹脂からなるレール６は、スボンの生地とは異質の材質、感触、色彩を有するので、見る者に強烈な印象を残しやすい。そこで、この部分に文字や図形を組み込み、宣伝広告に利用することができる。
【図面の簡単な説明】
【００２３】
【図１】実施例１の腰回りの一部を切り込み重なり部分を形成したズボンの側面図である。
【図２】図１のズボンの重なり部分を引き離して、第三者側から見たウエストサイズの調整具の斜視図である。
【図３】図１のズボンの重なり部分を引き離して、着用者側から見たウエストサイズの調整具の斜視図である。
【図４】ウエストサイズの調整具の使用状態を示す平面図で、（ａ）は調整前、（ｂ）は調整中、（ｃ）は調整後である。
【符号の説明】
【００２４】
１     ズボン
２     重なり部分
３     重なり部分
５     調整具
６     レール
８     突起
１１   バックル
【図１】
0003108043.tif 000003
【図２】
0003108043.tif 000004
【図３】
0003108043.tif 000005
【図４】
0003108043.tif 000006